(57)【特許請求の範囲】
【請求項１】
放送番組を受信する放送番組受信手段と、
前記放送番組受信手段で受信する番組単位のデータとしての番組データのうちの録画を指示されたものを録画ファイルとして格納する第１の記憶装置と、
前記第１の記憶装置の記憶の補助用として他の記憶装置としての第２の記憶装置を増設する増設用端子と、
各種視覚情報を表示するモニタ画面と、
前記第１の記憶装置に格納されている録画ファイルの前記第２の記憶装置への移動を禁止するか否か、及び、前記録画ファイルの削除を禁止するか否かを示す、前記録画ファイルごとのデータ管理の仕方を表わした番組管理情報を番組データごとに生成する番組管理情報生成手段と、
前記番組管理情報生成手段によって生成された番組管理情報を該当する録画ファイルに付加する番組管理情報付加手段と、
前記第１の記憶装置および前記増設用端子に接続された前記第２の記憶装置のそれぞれの使用中の容量あるいは空き容量の割合および録画可能な残り時間を算出する記憶装置現状算出手段と、
前記記憶装置現状算出手段の算出した前記第１の記憶装置および第２の記憶装置のそれぞれの使用中の容量あるいは空き容量の割合を前記モニタにグラフで表示すると共にこれらの録画可能な残り時間を数値で表示するモニタ現状表示手段と、
前記モニタ現状表示手段で前記モニタに前記第１の記憶装置および第２の記憶装置の現状を表示している状態で、ユーザによる前記第１の記憶装置から第２の記憶装置への前記録画ファイルの移動を禁止するか否か、及び、前記録画ファイルの自動的な削除を禁止するか否かを示す管理番号の変更を行わせるとき、前記録画ファイルごとに付加された番組管理情報を参照して、前記管理番号の変更の対象となる録画ファイルを選択させる録画ファイル選択手段
とを具備することを特徴とする番組録画装置。
【請求項２】
前記第１の記憶装置は、パーソナルコンピュータに内蔵された記憶装置であり、前記第２の記憶装置は外部記憶装置であることを特徴とする請求項１記載の番組録画装置。
【請求項３】
前記録画ファイル選択手段の選択時に該当する録画ファイルの画質の設定を行う画質設定モードを更に具備することを特徴とする請求項１記載の番組録画装置。
【請求項４】
前記第２の記憶装置は前記増設用端子に着脱自在にＵＳＢ（Universal Serial Bus）接続した記憶装置であることを特徴とする請求項１記載の番組録画装置。
【請求項５】
前記第２の記憶装置は複数の記憶装置で構成されることを特徴とする請求項２または請求項３記載の番組録画装置。
【請求項６】
前記録画ファイル選択手段によって選択された録画ファイルの削除は、前記第１および第２の記憶装置のいずれかが予め定めた空き容量未満となって番組管理情報に示されたデータ管理の仕方としての削除に該当することになったとき実行されることを特徴とする請求項１記載の番組録画装置。
【請求項７】
前記録画ファイル選択手段によって選択された録画ファイルの移動は、前記第１および第２の記憶装置のいずれかが予め定めた空き容量未満となって番組管理情報に示されたデータ管理の仕方としての移動に該当することになったとき実行されることを特徴とする請求項１記載の番組録画装置。
【請求項８】
前記第１および第２の記憶装置のいずれかが予め定めた空き容量未満となったとき、これを警告する警告手段を具備することを特徴とする請求項６または請求項７記載の番組録画装置。
【請求項９】
放送番組を受信する放送番組受信ステップと、
前記放送番組受信ステップで受信する番組単位のデータとしての番組データのうちの録画を指示されたものを録画ファイルとして第１の記憶装置に格納する録画ファイル格納ステップと、
前記録画ファイル格納ステップで、第１の記憶装置の記憶の補助用として前記放送番組受信ステップで受信した番組を録画する番組録画装置の所定の増設用端子を介して増設された第２の記憶装置への前記第１の記憶装置に格納した録画ファイルの移動を禁止するか否か、及び、前記録画ファイルの削除を禁止するか否かを示す、前記録画ファイルごとのデータ管理の仕方を表わした番組管理情報を番組データごとに生成する番組管理情報生成ステップと、
前記番組管理情報生成ステップによって生成された番組管理情報を該当する録画ファイルに付加する番組管理情報付加ステップと、
所定のタイミングで前記第１の記憶装置および前記増設用端子に接続された前記第２の記憶装置のそれぞれの使用中の容量あるいは空き容量の割合および録画可能な残り時間を算出する記憶装置現状算出ステップと、
前記記憶装置現状算出ステップで算出した前記第１の記憶装置および第２の記憶装置のそれぞれの使用中の容量あるいは空き容量の割合を前記番組録画装置の各種視覚情報を表示するためのモニタ画面にグラフで表示すると共にこれらの録画可能な残り時間を数値で表示するモニタ現状表示ステップと、
前記モニタ現状表示ステップで前記モニタに前記第１の記憶装置および第２の記憶装置の現状を表示している状態で、ユーザによる前記第１の記憶装置から第２の記憶装置への前記録画ファイルの移動を禁止するか否か、及び、前記録画ファイルの自動的な削除を禁止するか否かを示す管理番号の変更を行わせるとき、録画ファイルごとに付加された番組管理情報を参照して、前記管理番号の変更の対象となる録画ファイルを選択させる録画ファイル選択ステップ
とを具備することを特徴とする録画番組管理方法。
【請求項１０】
コンピュータに、
放送番組を受信する放送番組受信処理と、
前記放送番組受信処理で受信する番組単位のデータとしての番組データのうちの録画を指示されたものを録画ファイルとして第１の記憶装置に格納する録画ファイル格納処理と、
前記録画ファイル格納処理で、第１の記憶装置の記憶の補助用として前記放送番組受信処理で受信した番組を録画する番組録画装置の所定の増設用端子を介して増設された第２の記憶装置への前記第１の記憶装置に格納した録画ファイルの移動を禁止するか否か、及び、前記録画ファイルの削除を禁止するか否かを示す、前記録画ファイルごとのデータ管理の仕方を表わした番組管理情報を番組データごとに生成する番組管理情報生成処理と、
前記番組管理情報生成処理によって生成された番組管理情報を該当する録画ファイルに付加する番組管理情報付加処理と、
所定のタイミングで前記第１の記憶装置および前記増設用端子に接続された前記第２の記憶装置のそれぞれの使用中の容量あるいは空き容量の割合および録画可能な残り時間を算出する記憶装置現状算出処理と、
前記記憶装置現状算出処理で算出した前記第１の記憶装置および第２の記憶装置のそれぞれの使用中の容量あるいは空き容量の割合を各種視覚情報を前記番組録画装置の各種視覚情報を表示するためのモニタ画面にグラフで表示すると共にこれらの録画可能な残り時間を数値で表示するモニタ現状表示処理と、
前記モニタ現状表示処理で前記モニタに前記第１の記憶装置および第２の記憶装置の現状を表示している状態で、ユーザによる前記第１の記憶装置から第２の記憶装置への前記録画ファイルの移動を禁止するか否か、及び、前記録画ファイルの自動的な削除を禁止するか否かを示す管理番号の変更を行わせるとき、録画ファイルごとに付加された番組管理情報を参照して、前記管理番号の変更の対象となる録画ファイルを選択させる録画ファイル選択処理
とを実行させることを特徴とする録画番組管理プログラム。
【発明の詳細な説明】
【技術分野】
【０００１】
本発明は、放送番組の録画を行う番組録画装置、録画番組管理方法および録画番組管理プログラムに係わり、特に画像の録画を行う際の記憶装置の容量不足を解消することのできる番組録画装置、録画番組管理方法および録画番組管理プログラムに関する。
【背景技術】
【０００２】
ハードディスク等の大容量の記憶装置が各種開発されている。これにより、各種の番組を録画する番組録画装置も磁気テープを使用したものから大容量の記憶装置を内蔵したものへと製品開発が大きく変更されている。大容量の記憶装置を内蔵した番組録画装置は、内蔵の記憶装置に多くの番組を録画することができる。
【０００３】
しかしながら、内蔵の記憶装置の記憶容量がどんなに大きくても有限であることに変わりはない。特に放送される番組の高画質化が進展しており、番組録画装置に内蔵された記憶装置が大容量であっても、記憶装置の容量不足という問題を避けて通ることはできない。もちろん、番組録画装置の多くは記憶装置に記憶させた番組の内容をＤＶＤ（Digital Versatile Disc）等の記憶媒体に移動させ、別に保管することができる。しかしながら記憶媒体への１回当たりの番組データの移動量がわずかなため、大量のデータの保管のための処理が面倒であるし記憶媒体の購入費用も掛かる。
【０００４】
そこで、番組を録画する内蔵の記憶装置の記憶容量が少なくなったときに、装置側が自動で録画済みの番組のうちの不要なものを消去することが、本発明の第１の関連技術として提案されている（たとえば特許文献１参照）。この第１の関連技術では、記憶装置の容量不足が生じた場合に消去してよいかを個々の番組を録画する際に設定するようにしている。そして、消去してもよいとされた番組については、記憶装置の空き容量が所定の閾値を超えた場合に番組録画装置側が自動的に消去して空き容量を確保するようにしている。
【０００５】
ところが、この第１の関連技術では、記憶装置の容量不足が生じた場合に、消去を許可しないと設定した番組のみが番組録画装置に残ってしまう可能性がある。このような場合には、番組が消去されないので新たな番組を録画することができない。もちろん、ユーザがマニュアルで番組の消去を行うことはできるが、その都度消去のための処理を行うのは煩雑である。
【０００６】
そこで、記憶装置の容量不足が発生した場合に記録済みの番組データを外部のサーバ装置に退避して空き領域を確保することが、本発明の第２の関連技術として提案されている（たとえば特許文献２参照）。この第２の関連技術では、携帯電話機等の番組番組録画装置内部の記録領域における空き領域が少なくなった場合に、この記録領域から記録済みの放送記録データを選択して、外部のサーバ装置の記録領域に退避させるようにしている。一例としては、番組データの記録日時の古い順にサーバ装置内の記憶領域への移動が行われる。
【０００７】
この第２の関連技術では、番組録画装置内の記憶装置の容量不足が解消した範囲内で外部記憶領域に退避した番組データが再び番組録画装置内に戻るようになっている。このため、番組データの迅速な再生が可能になる。
【先行技術文献】
【特許文献】
【０００８】
【特許文献１】特開２００６−２９５３５９号公報（第００５２段落、図４）
【特許文献２】特開２００９−０７７１５５号公報（第００９３段落〜第００９５段落、図１）
【発明の概要】
【発明が解決しようとする課題】
【０００９】
第２の関連技術では、インターネットの通信機能を利用してサーバ装置にアクセスし、番組録画装置がサーバ装置との間で番組データのやり取りを行う。したがって、ユーザが録画を開始しようする時点で番組録画装置内の記憶装置の空き容量が十分でない場合には、録画を直ちに開始することができない通信環境であると、記憶装置の空き容量が録画途中で存在しなくなる場合がある。この場合には、録画をその時点で中止せざるを得ない状況が発生する。録画開始時の通信環境が悪く、サーバ装置へのデータの転送量が記憶装置にデータを蓄積する量よりも少ない場合も、同様に記憶装置の空き容量が録画途中で存在しなくなる場合がある。また、番組録画装置がサーバ装置との間で大量のデータを頻繁に通信することは、通信経費および通信のトラヒックの点でも問題がある。
【００１０】
そこで本発明の目的は、放送を録画する装置に内蔵された記憶装置の記憶容量が不足する場合にユーザがこれに簡易に対処できる番組録画装置、録画番組管理方法および録画番組管理プログラムを提供することにある。
【課題を解決するための手段】
【００１１】
本発明では、（イ）放送番組を受信する放送番組受信手段と、（ロ）この放送番組受信手段で受信する番組単位のデータとしての番組データのうちの録画を指示されたものを録画ファイルとして格納する第１の記憶装置と、（ハ）この第１の記憶装置の記憶の補助用として他の記憶装置としての第２の記憶装置を増設する増設用端子と、（ニ）各種視覚情報を表示するモニタ画面と、（ホ）前記した第１の記憶装置に格納されている録画ファイルを前記した第２の記憶装置に移動するか削除するかといった録画ファイルごとのデータ管理の仕方を表わした番組管理情報を番組データごとに生成する番組管理情報生成手段と、（へ）この番組管理情報生成手段によって生成された番組管理情報を該当する録画ファイルに付加する番組管理情報付加手段と、（ト）前記した第１の記憶装置および前記した増設用端子に接続された前記した第２の記憶装置のそれぞれの使用中の容量あるいは空き容量の割合および録画可能な残り時間を算出する記憶装置現状算出手段と、（チ）この記憶装置現状算出手段の算出した前記した第１の記憶装置および第２の記憶装置のそれぞれの使用中の容量あるいは空き容量の割合を前記したモニタにグラフで表示すると共にこれらの録画可能な残り時間を数値で表示するモニタ現状表示手段と、（リ）このモニタ現状表示手段で前記したモニタに前記した第１の記憶装置および第２の記憶装置の現状を表示している状態で前記した第１の記憶装置から第２の記憶装置に録画ファイルを移動させたり録画ファイルを削除する修正を行わせるとき、録画ファイルごとに付加された番組管理情報を参照して管理の変更の対象となる録画ファイルを選択させる録画ファイル選択手段とを番組録画装置が具備する。
【００１２】
また、本発明では、（イ）放送番組を受信する放送番組受信ステップと、（ロ）この放送番組受信ステップで受信する番組単位のデータとしての番組データのうちの録画を指示されたものを録画ファイルとして第１の記憶装置に格納する録画ファイル格納ステップと、（ハ）この録画ファイル格納ステップで前記した第１の記憶装置に格納した録画ファイルを、第１の記憶装置の記憶の補助用として前記した放送番組受信ステップで受信した番組を録画する番組録画装置の所定の増設用端子を介して増設された第２の記憶装置に移動するか削除するかといった録画ファイルごとのデータ管理の仕方を表わした番組管理情報を番組データごとに生成する番組管理情報生成ステップと、（ニ）この番組管理情報生成ステップによって生成された番組管理情報を該当する録画ファイルに付加する番組管理情報付加ステップと、（ホ）所定のタイミングで前記した第１の記憶装置および前記した増設用端子に接続された前記した第２の記憶装置のそれぞれの使用中の容量あるいは空き容量の割合および録画可能な残り時間を算出する記憶装置現状算出ステップと、（へ）この記憶装置現状算出ステップで算出した前記した第１の記憶装置および第２の記憶装置のそれぞれの使用中の容量あるいは空き容量の割合を前記した番組録画装置の各種視覚情報を表示するためのモニタ画面にグラフで表示すると共にこれらの録画可能な残り時間を数値で表示するモニタ現状表示ステップと、（ト）このモニタ現状表示ステップで前記したモニタに前記した第１の記憶装置および第２の記憶装置の現状を表示している状態で前記した第１の記憶装置から前記した第２の記憶装置に録画ファイルを移動させたり録画ファイルを削除する修正を行わせるとき、録画ファイルごとに付加された番組管理情報を参照して管理の変更の対象となる録画ファイルを選択させる録画ファイル選択ステップとを録画番組管理方法が具備する。
【００１３】
更に本発明では、コンピュータに、録画番組管理プログラムとして、（イ）放送番組を受信する放送番組受信処理と、（ロ）この放送番組受信処理で受信する番組単位のデータとしての番組データのうちの録画を指示されたものを録画ファイルとして第１の記憶装置に格納する録画ファイル格納処理と、（ハ）この録画ファイル格納処理で第１の記憶装置に格納した録画ファイルを、第１の記憶装置の記憶の補助用として前記した放送番組受信処理で受信した番組を録画する番組録画装置の所定の増設用端子を介して増設された第２の記憶装置に移動するか削除するかといった録画ファイルごとのデータ管理の仕方を表わした番組管理情報を番組データごとに生成する番組管理情報生成処理と、（ニ）この番組管理情報生成処理によって生成された番組管理情報を該当する録画ファイルに付加する番組管理情報付加処理と、（ホ）所定のタイミングで前記した第１の記憶装置および前記した増設用端子に接続された前記した第２の記憶装置のそれぞれの使用中の容量あるいは空き容量の割合および録画可能な残り時間を算出する記憶装置現状算出処理と、（へ）この記憶装置現状算出処理で算出した前記した第１の記憶装置および第２の記憶装置のそれぞれの使用中の容量あるいは空き容量の割合を前記した番組録画装置の各種視覚情報を表示するためのモニタ画面にグラフで表示すると共にこれらの録画可能な残り時間を数値で表示するモニタ現状表示処理と、（ト）このモニタ現状表示処理で前記したモニタに前記した第１の記憶装置および第２の記憶装置の現状を表示している状態で前記した第１の記憶装置から前記した第２の記憶装置に録画ファイルを移動させたり録画ファイルを削除する修正を行わせるとき、録画ファイルごとに付加された番組管理情報を参照して管理の変更の対象となる録画ファイルを選択させる録画ファイル選択処理とを実行させる。
【発明の効果】
【００１４】
以上説明したように本発明によれば、第１の記憶装置の記憶の補助用として番組録画装置の所定の増設用端子を介して増設された第２の記憶装置に録画ファイルを移動するか該当する録画ファイルを削除するかといった番組管理情報をこれらの録画ファイルごとに付加することにした。これにより、録画ファイルがこの番組録画装置のどの記憶装置に格納されているかを問わず、これらの録画ファイルの管理が可能になる。第２の記憶装置が複数存在するときにも録画ファイルの管理が可能である。
【００１５】
特に第１の記憶装置に録画ファイルが格納されている状態では、第１の記憶装置が消去してはいけない録画済の番組ばかりになった場合でも、移動できる録画ファイルを番組録画装置に増設した第２の記憶装置に移動したり、削除できる録画ファイルを削除することができる。したがって、第１の記憶装置の新たな空き容量を確保することができるようになる。
【図面の簡単な説明】
【００１６】
【図１】本発明の録画番組管理システムのクレーム対応図である。
【図２】本発明の録画番組管理方法のクレーム対応図である。
【図３】本発明の録画番組管理プログラムのクレーム対応図である。
【図４】本発明の実施の形態による録画番組管理システムの構成を表わしたシステム構成図である。
【図５】本実施の形態で使用する番組管理情報の一例を示した説明図である。
【図６】本実施の形態の録画番組管理システムで番組予約が行われる際の管理番号の選択処理の様子を表わした流れ図である。
【図７】本実施の形態の録画一覧表表示モードで、既に録画した番組データの一覧を呼び出して管理内容を修正する際の処理を示した流れ図である。
【図８】本実施の形態におけるモニタに表示された録画一覧表の一例を表わした平面図である。
【図９】本実施の形態における予め設定した幾つかの点検時点で行われる記憶装置の容量管理の様子を表わした流れ図である。
【図１０】本実施の形態における容量不足設定テーブルの一例を表わした説明図である。
【図１１】本発明の変形例における録画番組管理システムの構成を表わしたシステム構成図である。
【発明を実施するための形態】
【００１７】
図１は、本発明の録画番組管理システムのクレーム対応図を示したものである。本発明の録画番組管理システム１０は、放送番組受信手段１１と、第１の記憶装置１２と、第２の記憶装置１３と、番組管理情報生成手段１４と、番組管理情報付加手段１５と録画ファイル選択手段１６を備えている。ここで、放送番組受信手段１１は、放送番組を受信する。第１の記憶装置１２は、放送番組受信手段１１で受信する番組単位のデータとしての番組データのうちの録画を指示されたものを録画ファイルとして格納する。第２の記憶装置１３は、第１の記憶装置１２の記憶の補助用として増設されたものである。番組管理情報生成手段１４は、第１の記憶装置１２に格納されている録画ファイルを第２の記憶装置１３に移動するか削除するかといった録画ファイルごとのデータ管理の仕方を表わした番組管理情報を番組データごとに生成する。番組管理情報付加手段１５は、番組管理情報生成手段１４によって生成された番組管理情報を該当する録画ファイルに付加する。録画ファイル選択手段１６は、第１の記憶装置１２から第２の記憶装置１３に録画ファイルを移動させるとき、あるいは録画ファイルを削除するとき、録画ファイルごとに付加された番組管理情報を参照して対象となる録画ファイルを選択する。
【００１８】
図２は、本発明の録画番組管理方法のクレーム対応図を示したものである。本発明の録画番組管理方法２０は、放送番組受信ステップ２１と、録画ファイル格納ステップ２２と、番組管理情報生成ステップ２３と、番組管理情報付加ステップ２４と、録画ファイル選択ステップ２５を備えている。ここで、放送番組受信ステップ２１では、放送番組を受信する。録画ファイル格納ステップ２２では、放送番組受信ステップ２１で受信する番組単位のデータとしての番組データのうちの録画を指示されたものを録画ファイルとして第１の記憶装置に格納する。番組管理情報生成ステップ２３では、録画ファイルごとのデータ管理の仕方を表わした番組管理情報を番組データごとに生成する。たとえば録画ファイル格納ステップ２２で前記した第１の記憶装置に格納した録画ファイルを、前記した第１の記憶装置の記憶の補助用として増設された前記した第２の記憶装置に移動するか削除するかといった管理の仕方である。番組管理情報付加ステップ２４では、番組管理情報生成ステップ２３によって生成された番組管理情報を該当する録画ファイルに付加する。録画ファイル選択ステップ２５では、前記した第１の記憶装置から前記した第２の記憶装置に録画ファイルを移動させるとき、あるいは録画ファイルを削除するとき、録画ファイルごとに付加された番組管理情報を参照して対象となる録画ファイルを選択する。
【００１９】
図３は、本発明の録画番組管理プログラムのクレーム対応図を示したものである。本発明の録画番組管理プログラム３０は、コンピュータに放送番組受信処理３１と、録画ファイル格納処理３２と、番組管理情報生成処理３３と、番組管理情報付加処理３４と、録画ファイル選択処理３５を実行させるようにしている。ここで、放送番組受信処理３１では、放送番組を受信する。録画ファイル格納処理３２では、放送番組受信処理３１で受信する番組単位のデータとしての番組データのうちの録画を指示されたものを録画ファイルとして第１の記憶装置に格納する。番組管理情報生成処理３３では、録画ファイルごとのデータ管理の仕方を表わした番組管理情報を番組データごとに生成する。たとえば録画ファイル格納処理３２で前記した第１の記憶装置に格納した録画ファイルを、前記した第１の記憶装置の記憶の補助用として増設された前記した第２の記憶装置に移動するか削除するかといった管理の仕方である。番組管理情報付加処理３４では、番組管理情報生成処理３３によって生成された番組管理情報を該当する録画ファイルに付加する。録画ファイル選択処理３５では、前記した第１の記憶装置から前記した第２の記憶装置に録画ファイルを移動させるとき、あるいは録画ファイルを削除するとき、録画ファイルごとに付加された番組管理情報を参照して対象となる録画ファイルを選択する。
【００２０】
＜発明の実施の形態＞
【００２１】
次に本発明の実施の形態を説明する。
【００２２】
図４は、本発明の実施の形態による録画番組管理システムの構成を表わしたものである。本実施の形態の録画番組管理システム１００は、メインとなるパーソナルコンピュータ１０１に、テレビジョン放送の受信機能を持ったテレビジョンボード１０２と、外部記憶装置としての第２の記憶装置１０３を接続した構成となっている。
【００２３】
本実施の形態でパーソナルコンピュータ１０１は、ノート型のパーソナルコンピュータのようにモニタ（ディスプレイ）が装置本体と一体化されたものを使用している。パーソナルコンピュータ１０１は、ＣＰＵ（Central Processing Unit）１１２を備えている。ＣＰＵ１１２は、データバス等のバス１１３を介して装置内の各部と接続されている。
【００２４】
このうちＲＡＭ（Random Access Memory）１１４は、作業用のメモリとして、各種のデータを一時的に格納する。ＲＯＭ（Read Only Memory）１１５は、ＣＰＵ１１２の実行するプログラム等の固定的なデータを格納する。第１の記憶装置１１６は、たとえば磁気ディスクや大容量の半導体メモリによって構成されており、番組を録画する場合には映像データと音声データの組からなる番組データを格納する。ＯＳ（Operating System）等のプログラムをＲＯＭ１１５に代わって格納することもできる。インターフェース変換部１１７は、パーソナルコンピュータ１０１に第２の記憶装置１０３を取り付ける際のインターフェースとしての機能を果たしている。記憶装置１０３は、たとえばインターフェース変換部１１７と図示しないＵＳＢ（Universal Serial Bus）コネクタで着脱自在に接続されている。
【００２５】
映像出力部１１８は映像をモニタ１１１に出力する機能を果たしている。音声出力部１１９は番組データを再生時にこれに伴う音声をスピーカ１２０から出力する。操作入力部１２１は、たとえばキーボードやポインティングデバイスとしてのマウス（共に図示せず）によって構成されており、後に説明する番組の管理の種類を表わす番号等の入力に使用される。操作入力部１２１は、リモートコントローラとしてパーソナルコンピュータ１０１の本体と無線で接続されるようになっていてもよい。
【００２６】
テレビジョンボード１０２は、パーソナルコンピュータ１０１の図示しないバス接続部に図示しないコネクタを用いて差し込むようにしてバス１１３と接続される。この代わりに、テレビジョンボード１０２をパーソナルコンピュータ１０１とＵＳＢ（Universal Serial Bus）で接続してもよい。テレビジョンボード１０２自体は、外部アンテナ１３１に接続されたチューナ１３２と、このチューナ１３２によって選択されたテレビジョン信号を復号化するデコーダ１３３を備えている。デコーダ１３３により復号化された番組データがバス１１３を介してパーソナルコンピュータ１０１に取り込まれる。
【００２７】
本実施の形態のチューナ１２３は、デジタル放送を受信する仕様となっている。このため、パーソナルコンピュータ１０１は、地上デジタル放送、ＢＳデジタル放送、ＣＳデジタル放送を視聴することができると共に、第１の記憶装置１０９に所望の番組データを格納する。番組データの格納にあたっては、番組管理情報も一緒に記録される。
【００２８】
図５は、番組管理情報の一例を示したものである。図４と共に説明する。
【００２９】
番組管理情報は、番組の管理の種類を表わす「１」から「３」までの３種類の管理番号から構成されている。個々の番組は、ユーザによってこれらの管理番号のいずれかに分類される。番組管理情報が管理番号「１」と設定された番組は、すぐに視聴する可能性が高いので、第１の記憶装置１１６から第２の記憶装置１０３への移動を禁止される（「許可しない」）。また、その番組を第１の記憶装置１１６からパーソナルコンピュータ１０１が自動で削除することも禁止される（「許可しない」）。番組を保存する優先度は一番高いレベルとしての「高」となっている。
【００３０】
番組管理情報が管理番号「２」と設定された番組は、第１の記憶装置１１６から第２の記憶装置１０３への移動あるいはその逆の移動はユーザの許可によって行われるようになっている。ただし、その番組を第１の記憶装置１１６あるいは第２の記憶装置１０３からパーソナルコンピュータ１０１が自動で削除することは禁止される（「許可しない」）。番組を保存する優先度は「中」となっている。
【００３１】
番組管理情報が管理番号「３」と設定された番組は、第１の記憶装置１１６から第２の記憶装置１０３への移動の許可について特に定めていない。番組を第１の記憶装置１１６あるいは第２の記憶装置１０３からパーソナルコンピュータ１０１が自動で削除することは許可されている。番組を保存する優先度は一番低いレベルとしての「低」となっている。
【００３２】
図６は、本実施の形態の録画番組管理システムで番組の録画予約が行われる際の管理番号の選択処理の様子を表わしたものである。図４と共に説明する。
【００３３】
パーソナルコンピュータ１０１のユーザは、テレビジョンボード１０２を用いてテレビジョン番組の録画予約を行うとき、モニタ１１１に図示しない電子番組表を表示して、録画したい番組にカーソル（図示せず）を合わせる。そして、操作入力部１２１の図示しない番組録画決定ボタンを押下する（ステップＳ２０１）。すると、モニタ１１１に図示しないポップアップメニューが表示され（ステップＳ２０２）、ユーザはこの録画を選択した番組に対して、「１」から「３」までの３種類の管理番号のいずれかを選択できる状態となる（ステップＳ２０３）。管理番号のいずれかを選択すると（Ｙ）、録画時に使用する番組データの格納ファイルのインデックスにその管理番号を管理情報として記載して（ステップＳ２０４）、管理番号の選択処理を終了する（エンド）。
【００３４】
たとえば、番組Ａを録画予約するとき、ユーザがステップＳ２０３で管理番号「２」を選択したとする。すると、ＣＰＵ１１２はその番組Ａの番組データが格納されるファイルのインデックスに管理番号「２」を記載させる。管理番号「２」に設定された番組データは、図５に示した例によればパーソナルコンピュータ１０１が自動で記憶装置１０３、１１６間を移動させることができるが自動で削除することが禁止されることになる。
【００３５】
本実施の形態の録画番組管理システム１００では、ユーザが個々の番組を録画予約する際にこれらの番組の内容に応じて管理番号を選択することができるが、第１の記憶装置１１６や第２の記憶装置１０３の空き容量との関係で、管理番号を修正することもできる。システムによっては録画予約時に管理番号を設定せず、たとえば第１の記憶装置１１６または第２の記憶装置１０３の空き容量が少なくなった時点で管理番号の設定を行ってもよい。
【００３６】
なお、録画番組管理システムによっては、ユーザが事前に入力したキーワードに基づいて、あるいは過去に録画を選択した番組との関係で、番組を装置が選択して録画を行う機能を備えているものがある。このような録画番組管理システムで録画する番組を装置が選択する機能を活用した場合には、ユーザが録画を直接選択した番組と比べると視聴されない番組の割合が多少多くなる。
【００３７】
そこで、図６に示したようにユーザが録画のたびに管理番号の設定を行う代わりに、録画番組の選択の方法によって付与する管理番号を変えるようにしてもよい。たとえば、ユーザが録画を直接選択した番組については管理番号「２」を均一に設定し、それ以外の番組で装置が選択を行った場合の番組については管理番号「３」を設定するようにする。ユーザが録画を直接選択し、かつ装置もその番組を選択したような場合には管理番号「１」を設定するようにしてもよい。
【００３８】
図７は、録画一覧表表示モードで、既に録画した番組データの一覧を呼び出して管理内容を修正する際の処理の流れを示したものである。図４と共に説明する。
【００３９】
ユーザは、パーソナルコンピュータ１０１にインストールしたテレビジョン番組の録画用ソフトウェアを立ち上げた状況で、操作入力部１２１を操作して、録画一覧表表示モードを選択することができる。録画一覧表表示モードを選択すると（ステップＳ２２１：Ｙ）、ＣＰＵ１１２はＲＡＭ１１４の図示しない不揮発性メモリ領域に格納された管理情報を用いて録画一覧表の編集を行う（ステップＳ２２２）。このとき、各録画番組については、管理番号に応じた色分け表示のための処理を行う。以上の処理が行われたら、映像出力部１１８は録画一覧表の内容をモニタ１１１に出力して表示する（ステップＳ２２３）。
【００４０】
図８は、モニタに表示された録画一覧表の一例を表わしたものである。モニタ１１１には、図４の第１の記憶装置１１６あるいは第２の記憶装置１０３に格納されている録画内容のリストを表わすウィンドウ１４１と、内蔵ディスクと外部ディスクの使用状況を示す円グラフ１４２、１４３が表示される。
【００４１】
ウィンドウ１４１には、録画日と録画した番組のタイトルおよび管理番号がそれぞれの番組データごとに表示される。番組のタイトルは、設定されている管理番号が「１」のものは青色に、「２」のものは黄色に、「３」のものは赤色に着色表示される。これにより、ユーザは円グラフ１４２、１４３の表示と併せて、各番組データの管理番号の種類を容易に把握することができ、修正の対象となる番組のタイトルを簡単に探し出すことができる。
【００４２】
管理番号の修正は、該当する番組データの管理番号を示す数字の位置にカーソル１４４を持っていって、マウスでクリックすればよい。図８に示した例では、２０１０年１月１日に録画した「はにほ」というタイトルの番組の管理番号「３」をクリックするので、管理番号が当初の「１」から「３」に変更される。これに伴い、「はにほ」という番組のタイトルが青色から赤色に変更されて、その番組データは第１の記憶装置１１６と第２の記憶装置１０３の空き容量が少なくなると自動的に消去される対象となったことが示される。モニタ１１１の右下部分には、「終了」ボタン１４５が表示されており、これをマウスでクリックすると、録画一覧表の編集のための表示が終了する。
【００４３】
図７に戻って説明を続ける。モニタ１１１に図８に示したような録画一覧表が表示されたら（ステップＳ２２３）、この状態でＣＰＵ１１２は番組の管理番号が選択されたか（ステップＳ２２４）と、終了ボタン１４５が選択されたか（ステップＳ２２５）の監視を行う。
【００４４】
図８に示したカーソル１４４のように番組の管理番号が選択された場合には（ステップＳ２２４：Ｙ）、ステップＳ２２２に戻ってその選択内容に沿って録画一覧表の編集が行われる。変更後の録画一覧表は、モニタ１１１に表示されるので、ユーザは編集内容を簡単に把握することができる。ユーザが終了ボタン１４５を押した場合には（ステップＳ２２４：Ｎ、ステップＳ２２５：Ｙ）、録画一覧表表示モードが終了する（エンド）。
【００４５】
なお、図７に示した録画一覧表表示モードでは任意の番組の管理番号の変更処理のみを可能としたが、これに限るものではない。たとえば、ユーザの指定による任意の番組データの削除や、第１の記憶装置１１６と第２の記憶装置１０３の間での番組データの移動を行えるようにしてもよい。このような場合には、番組データの削除や移動に伴って、円グラフ１４２、１４３の表示内容や番組データの記録可能な残り時間の表示も変更される。
【００４６】
番組データの記録可能な残り時間の計算は、番組データの録画の画質の設定モードによって大きく異なる。本実施の形態では、ユーザが各番組を録画する際に選択する画質の設定モードのうちで単位時間当たり最もメモリ領域の使用量が大きいものを判別して、この画質の設定モードで番組データの記録可能な残り時間を表示するようにしている。録画番組管理システムによっては、録画の画質の各設定モード別に残り時間を表示するようにしてもよいし、残り時間を表示する画質の設定モードをユーザにその都度選択させてもよい。
【００４７】
図９は、ユーザが録画番組管理システムを立ち上げたり、番組予約を終了した場合等の予め設定した幾つかの点検時点で行われる記憶装置の容量管理の様子を表わしたものである。本実施の形態では、ユーザが図４に示すパーソナルコンピュータ１０１を使用中にテレビジョン番組を録画するためのアプリケーションソフトウェアを起動させると、この時点で番組録画用のデータの点検時点が到来するものとする。図４と共に説明する。
【００４８】
番組録画用のデータの点検時点が到来すると（ステップＳ２４１：Ｙ）、ＣＰＵ１１２はまず外部記憶装置としての第２の記憶装置１０３の空き容量が十分であるかをチェックする（ステップＳ２４２）。空き容量が、予め定めた警告レベル以下の場合には（Ｎ）、モニタ１１１の所定の箇所に、第２の記憶装置１０３の容量が不足していることの警告を表示する（ステップＳ２４３）。スピーカ１２０から警告音を出力することも可能である。
【００４９】
図１０は、警告を表示したり警告音を出力する際に使用する容量不足設定テーブルの一例を表わしたものである。図４と共に説明する。容量不足設定テーブル１６１は、ＲＡＭ１１４の不揮発性メモリ領域の一部に配置されている。ユーザがテレビジョン番組を録画するためのアプリケーションソフトウェアをインストールすると、第１の記憶装置１１６と第２の記憶装置１０３のそれぞれについて、録画割当容量と警告容量を自動または手動で設定するようになっている。この容量不足設定テーブル１６１によれば、第２の記憶装置１０３の警告容量がＣ2（ＡＬＡＲＭ）となっている。したがって、ＣＰＵ１１２は第２の記憶装置１０３における現在の録画割当容量Ｃ2（ＭＡＸ）における未使用の空き容量をチェックして、これがＣ2（ＡＬＡＲＭ）以下となっていれば、警告を行う。
【００５０】
図９のステップＳ２４２で第２の記憶装置１０３の空き容量がＣ2（ＡＬＡＲＭ）を超えており、十分であると判別された場合（Ｙ）、あるいは、ステップＳ２４３の警告表示を行った後、ＣＰＵ１１２は次に第１の記憶装置１１６の空き容量が十分であるかをチェックする（ステップＳ２４４）。図１０の容量不足設定テーブル１６１によれば、第１の記憶装置１１６の現在の録画割当容量Ｃ1（ＭＡＸ）における未使用の空き容量が、警告容量Ｃ1（ＡＬＡＲＭ）を超えていれば（Ｙ）、ＣＰＵ１１２は空き容量が十分であると判別する。この場合には、第１の記憶装置１１６について特に警告表示を行うことなく、処理が終了する（エンド）。
【００５１】
これに対して、ステップＳ２４４で第１の記憶装置１１６の現在の録画割当容量Ｃ1（ＭＡＸ）における未使用の空き容量が、警告容量Ｃ1（ＡＬＡＲＭ）以下であると判別された場合（Ｎ）、ＣＰＵ１１２は図８の録画内容のリストを表わすウィンドウ１４１の基となる各番組データの番組管理情報を走査して、削除可能な番組が存在するかをチェックする（ステップＳ２４５）。図５に示した番組管理情報では管理番号「３」の番組があれば、これを録画番組管理システム１００が自動的に削除することができる。
【００５２】
そこで、該当する番組データがあれば（ステップＳ２４５：Ｙ）、このうちの録画の日時が最も古い番組を１つ選択してその番組データを、第１の記憶装置１１６あるいは第２の記憶装置１０３から削除する（ステップＳ２４６）。そして、ステップＳ２４２の処理に戻ることになる。
【００５３】
一方、第１の記憶装置１１６と第２の記憶装置１０３に削除の対象となる番組データが存在しなかった場合には（ステップＳ２４５：Ｎ）、第１の記憶装置１１６から第２の記憶装置１０３に移動可能な番組データが存在するかをチェックする（ステップＳ２４７）。図５に示した番組管理情報では管理番号「２」の番組があれば、ステップＳ２４３で第２の記憶装置１０３が容量不足とされない限り、これを録画番組管理システム１００が自動的に移動可能である。
【００５４】
そこで、該当する番組データがあり、第２の記憶装置１０３にこれを移動可能であれば（ステップＳ２４７：Ｙ）、このうちの録画の日時が最も古い番組を１つ選択してその番組データを、第１の記憶装置１１６から第２の記憶装置１０３に移動する（ステップＳ２４８）。そして、ステップＳ２４２の処理に戻ることになる。
【００５５】
以上と異なり、ステップＳ２４７で第２の記憶装置１０３に移動可能な番組データが存在しなかった場合には（Ｎ）、第１の記憶装置１１６の空き容量不足を解消することができない。そこで、この場合には第１の記憶装置１１６の容量不足の警告表示が行われて（ステップＳ２４９）、記憶装置の容量管理の処理が終了する（エンド）。容量不足の警告表示は第２の記憶装置１０３の空き容量が不足した場合と基本的に同一であり、警告音を出力するようにしてもよい。
【００５６】
ステップＳ２４９による容量不足の警告表示あるいは警告音が出力されたとき、第１の記憶装置１１６の空き容量不足によって新しい番組の録画が失敗する可能性がある。これを回避する手法を次に説明する。
【００５７】
第１の記憶装置１１６の空き容量不足の状態で、第２の記憶装置１０３の空き容量が十分存在する場合には、ユーザが管理番号「３」の番組を第１の記憶装置１１６から第２の記憶装置１０３に移動させるか、移動を許可すればよい。これにより、ステップＳ２４４で第１の記憶装置１１６の空き容量が十分と判別されれば（Ｙ）、ステップＳ２４９による第１の記憶装置１１６の容量不足の警告表示が行われなくなる。
【００５８】
この方法を採ることができない場合には、管理番号「１」の番組のうちで移動可能なものをユーザが判別して、第２の記憶装置１０３に移動できる限度でこれらの番組データを第１の記憶装置１１６から第２の記憶装置１０３に移動させる。このとき必要に応じて、第２の記憶装置１０３に存在する番組データの所定のものをユーザが選択して削除する。
【００５９】
以上の対策を採ったとしても、第２の記憶装置１０３の空き容量が不足して第１の記憶装置１１６の空き容量を増やすことができない場合がある。このような場合には、新しい記憶装置をパーソナルコンピュータ１００に接続して、第２の記憶装置１０３に格納されている番組データの一部または全部をこの新しい記憶装置に移動させればよい。これにより、第１の記憶装置１１６に格納されている番組データを更に第２の記憶装置１０３に移動させることが可能になり第１の記憶装置１１６の容量不足の問題を簡単に解決することができる。
【００６０】
もちろん、本実施の形態の録画番組管理システム１００では、サーバに番組データを退避させる第２の関連技術と異なり、パーソナルコンピュータ１０１から第２の記憶装置１０３へのデータの転送を高速かつ安定的に行うことができる。したがって、第１の記憶装置１１６の空き容量を増やすことができない特別な場合には、第２の記憶装置１０３あるいは外部接続の新しい記憶装置に番組データを直接転送するようにしてもよい。
【００６１】
以上説明した実施の形態によれば、第１の記憶装置の記憶の補助用として増設された第２の記憶装置に録画ファイルを移動するか該当する録画ファイルを削除するかといった番組管理情報をこれらの録画ファイルごとに付加することにした。これにより、録画ファイルがどの記憶装置に格納されているかを問わず、これらの録画ファイルの管理が可能になる。第２の記憶装置が複数存在するときにも録画ファイルの管理が可能である。
【００６２】
特に第１の記憶装置に録画ファイルが格納されている状態では、第１の記憶装置が消去してはいけない録画済の番組ばかりなった場合でも、移動できる録画ファイルを第２の記憶装置に移動したり、削除できる録画ファイルを削除することができる。したがって、第１の記憶装置の新たな空き容量を確保することができるようになる。
【００６３】
また、本実施の形態によれば、番組データを格納した録画ファイルごとに番組管理情報を付加することにしたので、これを用いて、該当する記憶装置の空き容量が少なくなったときにパーソナルコンピュータ側がユーザからの個々の番組データに対する指示を受けることなく、空き容量を確保することができる。具体的には第１の記憶装置から第２の記憶装置に番組データを格納した録画ファイルのうちの所定のものを移動させたり、削除することができる。
【００６４】
このような処理を行った場合、第２の記憶装置も記憶容量は有限なためいずれ空き容量が不足するが、本実施の形態ではこの状況になった場合でも問題の解決が可能である。第２の記憶装置を複数使用して空き容量を増加させたり、今まで使用した第２の記憶装置が着脱自在なので、これを更に容量の大きな第２の記憶装置に取り替えることが可能だからである。
【００６５】
また、本実施の形態によれば、図９にも示したように番組データ（録画ファイル）の移動や削除を一連の処理として行うことができる。したがって、ユーザの負担を軽減して第１の記憶装置および第２の記憶装置の記憶容量を効率的に活用することができるという利点もある。
【００６６】
＜発明の変形例＞
【００６７】
図１１は、本発明の変形例における録画番組管理システムの構成を表わしたものである。図１１で図４と同一部分には同一の符号を付しており、これらの説明を適宜省略する。
【００６８】
この変形例の録画番組管理システム１００Ａは、ハードディスクレコーダ３０１に、テレビジョン３０２と、外部記憶装置としての第２の記憶装置１０３を接続した構成となっている。ハードディスクレコーダ３０１には、その操作を行うためのリモートコントローラ３０３が付属している。
【００６９】
ここでハードディスクレコーダ３０１は、そのバス１１３にデコーダ１３３の出力側を接続している。また、バス１１３には、ＣＰＵ１１２Ａ、ＲＡＭ１１４Ａ、ＲＯＭ１１５Ａ、第１の記憶装置１１６、インターフェース変換部１１７、映像出力部１１８Ａ、音声出力部１１９Ａおよび無線通信部３１１が接続されている。ここで、ＣＰＵ１１２ＡはＲＯＭ１１５Ａに格納された制御プログラムを実行することで、ハードディスクレコーダ３０１としての各種の制御を行う。インターフェース変換部１１７は、実施の形態の場合と同様の第２の記憶装置１０３を接続している。映像出力部１１８Ａはテレビジョン３０２内のモニタ１１１Ａと接続され、音声出力部１１９Ａはテレビジョン３０２内のスピーカ１２０Ａと接続されている。無線通信部３１１はリモートコントローラ３０３と無線で接続するようになっている。リモートコントローラ３０３は、実施の形態における操作入力部１２１と同様の入力操作を行うことができる。
【００７０】
この変形例の録画番組管理システム１００Ａでは、いわゆる録画専用機を使用して、そのＲＯＭ１１５Ａに格納した制御プログラムを実施の形態と同様の内容とすることで第２の記憶装置１０３との連携を可能にしている。したがって、実施の形態における図６、図７および図９で示した処理をハードディスクレコーダ３０１も行うことができる。
【００７１】
なお、実施の形態ではモニタ１１１と一体化したパーソナルコンピュータ１０１を用いた録画番組管理システム１００を説明したが、モニタ１１１をコンピュータ本体に外付けするものについても、同様に本発明を適用することができる。
【００７２】
また、本発明は携帯電話機、ＰＨＳ（Personal Handy-phone System）等の通信端末で録画機能を備えるものについても同様に適用することができる。この場合、第２の記憶装置１０３あるいはこれ以外に追加する記憶装置は、ＵＳＢ接続でこれらの通信端末に接続してもよいし、カードのスロットにメモリカードを装着するようにしてもよい。
【００７３】
以上説明した実施の形態の一部または全部は、以下の付記のようにも記載されるが、以下の記載に限定されるものではない。
【００７４】
（付記１）
放送番組を受信する放送番組受信手段と、
この放送番組受信手段で受信する番組単位のデータとしての番組データのうちの録画を指示されたものを録画ファイルとして格納する第１の記憶装置と、
この第１の記憶装置の記憶の補助用として増設された第２の記憶装置と、
前記第１の記憶装置に格納されている録画ファイルを前記第２の記憶装置に移動するか削除するかといった録画ファイルごとのデータ管理の仕方を表わした番組管理情報を番組データごとに生成する番組管理情報生成手段と、
この番組管理情報生成手段によって生成された番組管理情報を該当する録画ファイルに付加する番組管理情報付加手段と、
前記第１の記憶装置から第２の記憶装置に録画ファイルを移動させるとき、あるいは録画ファイルを削除するとき、録画ファイルごとに付加された番組管理情報を参照して対象となる録画ファイルを選択する録画ファイル選択手段
とを具備することを特徴とする録画番組管理システム。
【００７５】
（付記２）
前記放送番組は、テレビジョンのデジタル放送番組であることを特徴とする付記１記載の録画番組管理システム。
【００７６】
（付記３）
前記第１の記憶装置は、パーソナルコンピュータに内蔵された記憶装置であり、前記第２の記憶装置は外部記憶装置であることを特徴とする付記１記載の録画番組管理システム。
【００７７】
（付記４）
前記第１の記憶装置は、ハードディスクレコーダに内蔵された記憶装置であり、前記第２の記憶装置はこのハードディスクレコーダに着脱自在に接続した記憶装置であることを特徴とする付記１記載の録画番組管理システム。
【００７８】
（付記５）
前記第２の記憶装置はこのハードディスクレコーダに着脱自在にＵＳＢ（Universal Serial Bus）接続した記憶装置であることを特徴とする付記４記載の録画番組管理システム。
【００７９】
（付記６）
前記第２の記憶装置は複数の記憶装置で構成されることを特徴とする付記３または付記４記載の録画番組管理システム。
【００８０】
（付記７）
前記録画ファイル選択手段によって選択された録画ファイルの削除は、前記第１および第２の記憶装置のいずれかが予め定めた空き容量未満となって番組管理情報に示されたデータ管理の仕方としての削除に該当することになったとき実行されることを特徴とする付記１記載の録画番組管理システム。
【００８１】
（付記８）
前記録画ファイル選択手段によって選択された録画ファイルの移動は、前記第１および第２の記憶装置のいずれかが予め定めた空き容量未満となって番組管理情報に示されたデータ管理の仕方としての移動に該当することになったとき実行されることを特徴とする付記１記載の録画番組管理システム。
【００８２】
（付記９）
前記第１および第２の記憶装置のいずれかが予め定めた空き容量未満となったとき、これを警告する警告手段を具備することを特徴とする付記７または付記８記載の録画番組管理システム。
【００８３】
（付記１０）
放送番組を受信する放送番組受信ステップと、
この放送番組受信ステップで受信する番組単位のデータとしての番組データのうちの録画を指示されたものを録画ファイルとして第１の記憶装置に格納する録画ファイル格納ステップと、
この録画ファイル格納ステップで前記第１の記憶装置に格納した録画ファイルを、第１の記憶装置の記憶の補助用として増設された第２の記憶装置に移動するか削除するかといった録画ファイルごとのデータ管理の仕方を表わした番組管理情報を番組データごとに生成する番組管理情報生成ステップと、
この番組管理情報生成ステップによって生成された番組管理情報を該当する録画ファイルに付加する番組管理情報付加ステップと、
前記第１の記憶装置から前記第２の記憶装置に録画ファイルを移動させるとき、あるいは録画ファイルを削除するとき、録画ファイルごとに付加された番組管理情報を参照して対象となる録画ファイルを選択する録画ファイル選択ステップ
とを具備することを特徴とする録画番組管理方法。
【００８４】
（付記１１）
前記録画ファイル選択ステップによって選択された録画ファイルの削除は、前記第１および第２の記憶装置のいずれかが予め定めた空き容量未満となって番組管理情報に示されたデータ管理の仕方としての削除に該当することになったとき実行されることを特徴とする付記１０記載の録画番組管理方法。
【００８５】
（付記１２）
前記録画ファイル選択ステップによって選択された録画ファイルの移動は、前記第１および第２の記憶装置のいずれかが予め定めた空き容量未満となって番組管理情報に示されたデータ管理の仕方としての移動に該当することになったとき実行されることを特徴とする付記１０記載の録画番組管理方法。
【００８６】
（付記１３）
前記第１および第２の記憶装置のいずれかが予め定めた空き容量未満となったとき、これを警告する警告ステップを具備することを特徴とする付記１１または付記１２記載の録画番組管理方法。
【００８７】
（付記１４）
コンピュータに、
放送番組を受信する放送番組受信処理と、
この放送番組受信処理で受信する番組単位のデータとしての番組データのうちの録画を指示されたものを録画ファイルとして第１の記憶装置に格納する録画ファイル格納処理と、
この録画ファイル格納処理で第１の記憶装置に格納した録画ファイルを、第１の記憶装置の記憶の補助用として増設された第２の記憶装置に移動するか削除するかといった録画ファイルごとのデータ管理の仕方を表わした番組管理情報を番組データごとに生成する番組管理情報生成処理と、
この番組管理情報生成処理によって生成された番組管理情報を該当する録画ファイルに付加する番組管理情報付加処理と、
前記第１の記憶装置から前記第２の記憶装置に録画ファイルを移動させるとき、あるいは録画ファイルを削除するとき、録画ファイルごとに付加された番組管理情報を参照して対象となる録画ファイルを選択する録画ファイル選択処理
とを実行させることを特徴とする録画番組管理プログラム。
【００８８】
（付記１５）
前記録画ファイル選択処理によって選択された録画ファイルの削除は、前記第１および第２の記憶装置のいずれかが予め定めた空き容量未満となって番組管理情報に示されたデータ管理の仕方としての削除に該当することになったとき実行されることを特徴とする付記１４記載の録画番組管理プログラム。
【００８９】
（付記１６）
前記録画ファイル選択処理によって選択された録画ファイルの移動は、前記第１および第２の記憶装置のいずれかが予め定めた空き容量未満となって番組管理情報に示されたデータ管理の仕方としての移動に該当することになったとき実行されることを特徴とする付記１４記載の録画番組管理プログラム。
【００９０】
（付記１７）
前記第１および第２の記憶装置のいずれかが予め定めた空き容量未満となったとき、これを警告する警告処理が実行されることを特徴とする付記１５または付記１６記載の録画番組管理プログラム。
【符号の説明】
【００９１】
１０、１００、１００Ａ  録画番組管理システム
１１  放送番組受信手段
１２  第１の記憶装置
１３  第２の記憶装置
１４  番組管理情報生成手段
１５  番組管理情報付加手段
１６  録画ファイル選択手段
２０  録画番組管理方法
２１  放送番組受信ステップ
２２  録画ファイル格納ステップ
２３  番組管理情報生成ステップ
２４  番組管理情報付加ステップ
２５  録画ファイル選択ステップ
３０  録画番組管理プログラム
３１  放送番組受信処理
３２  録画ファイル格納処理
３３  番組管理情報生成処理
３４  番組管理情報付加処理
３５  録画ファイル選択処理
１０１  パーソナルコンピュータ
１０２  テレビジョンボード
１０３  第２の記憶装置
１１１、１１１Ａ  モニタ
１１２、１１２Ａ  ＣＰＵ
１１４、１１４Ａ  ＲＡＭ
１１５、１１５Ａ  ＲＯＭ
１１６  第１の記憶装置
１１７  インターフェース変換部
１２０  スピーカ
１２１  操作入力部
１３２  チューナ
１３３  デコーダ
１４１  （録画内容のリストを表わす）ウィンドウ
３０１  ハードディスクレコーダ
３０２  テレビジョン
３０３  リモートコントローラ
３１１  無線通信部
【図１】
0005444076.tif 000002
【図２】
0005444076.tif 000003
【図３】
0005444076.tif 000004
【図４】
0005444076.tif 000005
【図５】
0005444076.tif 000006
【図６】
0005444076.tif 000007
【図７】
0005444076.tif 000008
【図８】
0005444076.tif 000009
【図９】
0005444076.tif 000010
【図１０】
0005444076.tif 000011
【図１１】
0005444076.tif 000012